(57)【要約】【課題】スパウトと支持管との嵌合部分に到達した水をスパウトの外部に排水させる。【解決手段】水栓装置（１０）は、吐水ヘッド（１４）と、ホース（１６）と、支持管（１８）と、一端側に吐水ヘッド（１４）が取り外し自在に取り付けられ、他端側が支持管（１８）に外嵌され、ホース（１６）の外周面との間に第１空間（６２）を形成し、支持管（１８）の外周面との間に第１空間（６２）と連通する第２空間（７４）を形成するスパウト（２０）と、スパウト（２０）に形成され、第２空間７４の最下端と外部とを連通する排水孔（７６）と、を備える。【選択図】  図２
2015224475.tif 000002
【特許請求の範囲】
【請求項１】
水を吐出する吐水ヘッドと、
前記吐水ヘッドに接続されるホースと、
前記ホースのうち一部が内部に挿通される支持管と、
前記ホースのうち前記支持管から出て前記吐水ヘッドまで延伸する部分が内部に挿通される管状のスパウトであって、一端側に前記吐水ヘッドが取り外し自在に取り付けられ、他端側が前記支持管に外嵌され、前記ホースの外周面との間に第１空間を形成し、前記支持管の外周面との間に前記第１空間と連通する第２空間を形成するスパウトと、
前記スパウトに形成され、前記第２空間の最下端と外部とを連通する排水孔と、
を備える水栓装置。
【請求項２】
前記スパウトの内周面及び前記支持管の外周面のうち少なくとも一方に設けられ、他方に突出する凸部、
をさらに有する請求項１に記載の水栓装置。
【請求項３】
前記他方に設けられ、前記凸部が挿入されて、前記支持管に対して前記スパウトの回転を規制する凹部、
をさらに有する請求項２に記載の水栓装置。
【請求項４】
前記凸部及び前記凹部は、前記支持管を基準としたとき、前記スパウトにおける前記排水孔の形成方向と同じ方向に設けられている、
請求項３に記載の水栓装置。
【請求項５】
前記吐水ヘッドは、前記吐水ヘッドの吐水口が前記スパウトの周面の一方側となるように、前記スパウトに取り付けられ、
前記排水孔は、前記一方側の周面の反対側の周面に形成されている、
請求項１〜請求項４の何れか１項に記載の水栓装置。
【請求項６】
前記スパウトにおける前記支持管との嵌合部分の外観形状は、前記スパウトにおける前記嵌合部分より上側部分と直線的に連なる円錐台である、
請求項１〜請求項５に記載の水栓装置。
【請求項７】
ホースが挿通される支持管によって支持され、前記ホースのうち前記支持管から出る部分が内部に挿通される管状のスパウトであって、
前記ホースが接続される水を吐出する吐水ヘッドを取り外し自在に取り付ける取付部と、
前記取付部から連なり、前記ホースの外周面との間に第１空間を形成する第１空間形成部と、  
前記第１空間形成部から連なり、前記支持管に外嵌される嵌合部と、
前記嵌合部の一部に設けられ、前記支持管の外周面との間に前記第１空間と連通する第２空間を形成する第２空間形成部と、
前記第２空間形成部に形成され、前記第２空間の最下端と外部とを連通する排水孔と
を備えるスパウト。
【発明の詳細な説明】
【技術分野】
【０００１】
本発明は、水栓装置及びスパウトに関する。
【背景技術】
【０００２】
従来から、流し台や洗面台等のカウンターに設けられる水栓装置において、吐水ヘッドに接続されたホースがスパウトから引き出し自在に取り付けられ、所望の位置で吐水ができるホース引き出し式の水栓装置が知られている。
【０００３】
このような水栓装置では、ホースを引き出して吐水ヘッドから吐水する際に、その吐水の少なくとも一部が、スパウトの内部（ホースとスパウトの間の隙間）に水が浸入し、ホースを伝わってカウンター下側のキャビネット内部等に水が垂れる虞がある。
【０００４】
そこで、例えば特許文献１及び２には、スパウトと支持管との嵌合部分より上方側のスパウトに排水孔を設け、スパウトの内部に侵入した水をスパウトの途中からその外部に排水する水栓装置が開示されている。
【先行技術文献】
【特許文献】
【０００５】
【特許文献１】特開２００７−０３２１８３号公報
【特許文献２】特開平１０−１５９１４０号公報
【発明の概要】
【発明が解決しようとする課題】
【０００６】
しかしながら、特許文献１及び２では、スパウトの内部に侵入した水が排水孔から排水されず、スパウトと支持管との嵌合部分にまで到達する場合がある。この結果、上記嵌合部分に到達した水が、そのままホースや支持管を伝わって、カウンター下側のキャビネット内部等に水が垂れる虞がある。
【０００７】
そこで、本発明は、上述した課題を解決するためになされたものであり、スパウトと支持管との嵌合部分に到達した水をスパウトの外部に排水することができる水栓装置及びスパウトを提供することを目的の一つとしている。
【課題を解決するための手段】
【０００８】
上述した目的を達成するために、本発明者らは、まずスパウトと支持管との嵌合部分に新たにオーバーフロー孔を設けて、上記嵌合部分に到達した水が一定量以上となった場合にその水をスパウトの外部に排水させることを検討した。しかしながら、オーバーフロー孔を設けても、例えば嵌合部分に到達した水が一定量未満である場合には、スパウトの壁によってその水はスパウトの外部に排水されず、そのままホースや支持管を伝わって、カウンター下側のキャビネット内部等に水が垂れる虞があった。
【０００９】
上記検討結果を鑑みて、本発明の第１態様に係る水栓装置は、水を吐出する吐水ヘッドと、前記吐水ヘッドに接続されるホースと、前記ホースのうち一部が内部に挿通される支持管と、前記ホースのうち前記支持管から出て前記吐水ヘッドまで延伸する部分が内部に挿通される管状のスパウトであって、一端側に前記吐水ヘッドが取り外し自在に取り付けられ、他端側が前記支持管に外嵌され、前記ホースの外周面との間に第１空間を形成し、前記支持管の外周面との間に前記第１空間と連通する第２空間を形成するスパウトと、前記スパウトに形成され、前記第２空間の最下端と外部とを連通する排水孔と、を備える。
【００１０】
このような構成においては、吐水ヘッドをスパウトから取り外してホースを引き出して吐水ヘッドから吐水する際に、吐水の少なくとも一部が、スパウトの内部である第１空間に水が浸入する場合がある。スパウトの内部である第１空間に侵入した水は、支持管の外周面とスパウトの内周面との間に形成された第２空間に流れ、第２空間の最下端から、排水孔を介して、スパウトの外部に排水される。このように上記構成によれば、スパウトと支持管との嵌合部分にある第２空間に到達した水を排水孔からスパウトの外部に排水することができる。さらに、上記構成によれば、スパウトの内部に進入した水が、第２空間の最下端の排水孔から外部へ流れ出るため、第２空間において最下端以外に排水孔が設けられる場合に比べて、スパウトの内部に進入した水の量によらず外部へ排水することができる。
【００１１】
本発明の第２態様に係る水栓装置は、前記スパウトの内周面及び前記支持管の外周面のうち少なくとも一方に設けられ、他方に突出する凸部、をさらに有する。
【００１２】
この構成によれば、凸部という簡易な構成で、外嵌部分において、支持管の外周面とスパウトの内周面との間に、外嵌を保ちつつ、第２空間を形成することができる。
【００１３】
本発明の第３態様に係る水栓装置は、前記他方に設けられ、前記凸部が挿入されて、前記支持管に対して前記スパウトの回転を規制する凹部、をさらに有する。
【００１４】
この構成によれば、支持管に対してスパウトの回転を規制することができるため、水栓装置の前に立つ使用者に対する吐水ヘッドの相対位置を固定することができる。
【００１５】
本発明の第４態様に係る水栓装置は、前記凸部及び前記凹部は、前記支持管を基準としたとき、前記スパウトにおける前記排水孔の形成方向と同じ方向に設けられている。
【００１６】
この構成によれば、第２空間に侵入した水が、仮に勢いよく排水孔の形成方向と同じ方向に流れても、凸部によって、第２空間に侵入した水が凸部の両側に分流されることにより、排水孔から排水される水の勢いを弱めることができる。
【００１７】
本発明の第５態様に係る水栓装置では、前記吐水ヘッドは、前記吐水ヘッドの吐水口が前記スパウトの周面の一方側となるように、前記スパウトに取り付けられ、前記排水孔は、前記一方側の周面の反対側の周面に形成されている。
【００１８】
この構成によれば、スパウトの一方側の周面の反対側の周面に形成されている排水孔からの排水は、スパウトの一方側の周面に対面する水栓装置の使用者にとって、視界に入り難いため、排水を見ることで不快となることを抑制できる。また、スパウトの一方側の周面にある吐水ヘッドの吐水口から吐出されて跳ね返った水は、反対側の周面に形成されている排水孔には入り難いため、当該跳ね返った水の第２空間への水の進入を抑制できる。
【００１９】
本発明の第６態様に係る水栓装置は、前記スパウトにおける前記支持管との嵌合部分の外観形状は、前記スパウトにおける前記嵌合部分より上側部分と直線的に連なる円錐台である。
【００２０】
この構成によれば、水栓装置の審美性を高めると共に、スパウトにおける嵌合部分とその上側部分との間に段差がある場合に比べて清掃性を高めることができる。
【００２１】
本発明の第７態様に係るスパウトは、水を吐出する吐水ヘッドが取り外し自在に取り付けられ、内部に前記吐水ヘッドに接続されるホースが挿通され、支持管によって支持される管状のスパウトであって、前記ホースの外周面との間に第１空間を形成する第１空間形成部と、前記第１空間形成部と連なり、前記支持管に外嵌される嵌合部と、前記嵌合部の一部に設けられ、前記支持管の外周面との間に前記第１空間形成部と連通する第２空間を形成する第２空間形成部と、前記第２空間形成部に形成され、前記第２空間の最下端と外部とを連通する排水孔と、を備える。
【００２２】
この構成においては、スパウトが支持管に支持され内部にホースが挿通され、吐水ヘッドが取り付けられた状態から、吐水ヘッドをスパウトから取り外しホースを引き出して吐水ヘッドから吐水する際に、吐水の少なくとも一部が、スパウトの内部であり第１空間形成部により形成された第１空間に水が浸入する場合がある。スパウトの内部である第１空間に侵入した水は、第２空間形成部により形成された第２空間に流れ、第２空間の最下端から、排水孔を介して、スパウトの外部に排水される。このように上記構成によれば、支持管との嵌合部にある第２空間に到達した水を排水孔からスパウトの外部に排水することができる。さらに、上記構成によれば、スパウトの内部に進入した水が、第２空間の最下端から外部へ流れ出るため、第２空間において最下端以外に排水孔が設けられる場合に比べて、スパウトの内部に進入した水の量によらず外部へ排水することができる。
【発明の効果】
【００２３】
本発明の水栓装置及びスパウトによれば、スパウトと支持管との嵌合部分に到達した水をスパウトの外部に排水することができる。
【図面の簡単な説明】
【００２４】
【図１】本発明の実施形態に係る水栓装置の一例としてのシャンプー水栓の外観斜視図である。
【図２】図１に示すシャンプー水栓において、吐水ヘッドがスパウトから取り外されていない状態におけるシャンプー水栓の側面断面図である。
【図３】図２に示すシャンプー水栓において嵌合部を拡大した図である。
【図４】図３に示す嵌合部のＡ−Ａ矢視断面図である。
【図５】図２に示すシャンプー水栓のＢ−Ｂ矢視断面図である。
【発明を実施するための形態】
【００２５】
以下、本発明の実施形態に係る水栓装置について、図面を参照しながら具体的に説明する。
【００２６】
＜構成＞
図１は、本発明の実施形態に係る水栓装置の一例としてのシャンプー水栓１０の外観斜視図である。
【００２７】
図１に示すように、シャンプー水栓１０は、洗面台や流し台等の不図示のカウンター１２に立設されている。このシャンプー水栓１０は、主として、吐水ヘッド１４と、ホース１６と、支持管１８と、スパウト２０と、を備えている。そして、シャンプー水栓１０は、昇降式且つプルアウト式の水栓装置となっている。すなわち、シャンプー水栓１０においては、カウンター１２に対してシャンプー水栓１０全体を昇降させることができる（昇降式）。また、シャンプー水栓１０においては、吐水ヘッド１４をスパウト２０から取り外してホース１６を引き出し、吐水することができる（プルアウト式）。なお、図１では、ホース１６を引き出す途中のシャンプー水栓１０の概観が示されている。
【００２８】
図２は、図１に示すシャンプー水栓１０において、吐水ヘッド１４がスパウト２０から取り外されていない状態におけるシャンプー水栓１０の側面断面図である。なお、側面とは、図１において吐水ヘッド１４が一番手前に見えるシャンプー水栓１０を基準としたとき、その右側又は左側からシャンプー水栓１０を見たときに見える面である。
【００２９】
図２に示すように、吐水ヘッド１４は、ボウルに離間対向しており、当該ボウルに向かって水を吐出するものである。このような吐水ヘッド１４は、例えばヘッド本体２２と、ジョイント２４と、を有している。
【００３０】
ヘッド本体２２は、ジョイント２４に挿入され、螺子２６を介してジョイント２４に対して回転可能に接続されている。このヘッド本体２２は、例えば略円筒の形状である。ヘッド本体２２の先端側外周面には、軸方向に沿って延びるリブ２８が周方向に複数形成されている。このリブ２８は、ヘッド本体２２がジョイント２４に挿入されても外部に露出しており、例えば使用者によるヘッド本体２２の回転を容易にしている。
【００３１】
また、ヘッド本体２２の一端側の中央部には、ヘッド本体２２の内部に連通する網目状の複数の開口で構成された泡沫吐水口２２Ａが形成されている。ヘッド本体２２の一端側において泡沫吐水口２２Ａの周囲には、泡沫吐水口２２Ａを構成する開口の開口径よりもそれぞれ開口径が小さい複数の開口で構成された散水吐水口２２Ｂが形成されている。泡沫吐水口２２Ａから出る水は、泡沫吐水（ソフト吐水）となり、散水吐水口２２Ｂから出る水は、散水吐水（シャワー吐水）となる。これら泡沫吐水と散水吐水との切り替えは、ヘッド本体２２が使用者により回転されることにより可能となっている。この切り替え可能となるヘッド本体２２の詳細な構成については、説明を省略する。
【００３２】
ジョイント２４は、ヘッド本体２２とスパウト２０とを接続する管体である。ジョイント２４は、一端部は閉じられており、他端部は開口している。ジョイント２４の周面において一端部側の一部は開口している。ジョイント２４の一端部側には、周面の開口からヘッド本体２２が挿入される被挿入部３０が形成されている。また、ジョイント２４の他端部側には、他端部の開口からホース１６の先端部が挿入され当該ホース１６が嵌合されてジョイント２４に固定される第１嵌合部３２が形成されている。また、ジョイント２４において第１嵌合部３２よりも他端部側には、当該他端部の開口からスパウト２０の先端部が挿入され当該スパウト２０が嵌合されてジョイント２４に取り外し自在に取り付けられる第２嵌合部３４が形成されている。
【００３３】
ジョイント２４の周面において一端部側の一部には、例えばヘッド本体２２が挿入される開口と並び、当該開口よりも開口面積の小さい２つの孔３６、３８が形成されている。一方の孔３６には、止め輪４０が挿入されている。この止め輪４０は、ホース１６に嵌り、ジョイント２４をホース１６に対して軸方向及び径方向に固定している。他方の孔３８は、ジョイント２４の内部の予期しない箇所に水が入った場合に、その水を排出するために設けられている。
【００３４】
ジョイント２４が固定されるホース１６は、折り曲げ自在な柔らかい管体である。このホース１６は、図示しないものの、例えばホース本体と、当該ホース本体を挿入したホースカバー（その他、吐水ヘッド１４との接続体等を含んでもよい）と、で構成される。ホースカバーの先端には、ひれパッキン４２が取り付けられている。これにより、ホース１６と第１嵌合部３２との間が水密に保持され、吐水ヘッド１４とホース１６とが接続される。
【００３５】
ホース１６の一部は、スパウト２０の内部及び支持管１８の内部に引き出し自在に挿通されている。そして、ホース１６は、スパウト２０から外部に延伸して第１嵌合部３２に嵌合されている。これにより、ホース１６の内部は吐水ヘッド１４の内部と連通している。なお、図２において、ホース１６は、一部のみ記載しているが、実際にはスパウト２０から支持管１８を通って下方まで伸びている。
【００３６】
このホース１６の一部が内部に挿通された支持管１８は、例えば内径及び外径が軸方向に沿って略同一で、カウンター１２に取り付けられたときに上方にまっすぐ延伸している。支持管１８の一端側には、不図示の給水源に繋がる給水管に接続されている。また、支持管１８は、他端側にスパウト２０が外嵌されることにより当該スパウト２０を支持している。
【００３７】
この支持管１８により支持されるスパウト２０は、吐水ヘッド１４と支持管１８とを接続する管状の接続体である。スパウト２０は、シャンプー水栓１０がカウンター１２に立設された状態において、カウンター１２からボウルに向かって延びるように湾曲している。また、スパウト２０は、ホース１６のうち支持管１８から出て吐水ヘッド１４まで延伸する部分が内部に挿通され、一端側に吐水ヘッド１４が取り外し自在に取り付けられ、他端側が支持管１８に外嵌される。
【００３８】
具体的には、スパウト２０は、取付部としてのホースガイド４４と、スパウト本体４６と、スパウト台４７と、で構成されている。
【００３９】
ホースガイド４４は、吐水ヘッド１４とスパウト本体４６とを接続し、ホース１６を内部に挿通してガイドする管状の接続体である。このホースガイド４４には、第２嵌合部３４及びスパウト本体４６よりも外径が小さく、スパウト本体４６の軸方向に延伸する管状の第１凸部４８が形成されている。第１凸部４８は、ジョイント２４の第２嵌合部３４に嵌合されることによって、吐水ヘッド１４がスパウト２０に取り外し自在に取り付けられる。使用者が吐水ヘッド１４を把持して引っ張ると、ホース１６とジョイント２４とは固定されているため、ホース１６と第１嵌合部３２との嵌合は解除されないまま、第１凸部４８と第２嵌合部３４との嵌合が解除される。この結果、図１に示すように、使用者は、吐水ヘッド１４をスパウト２０から取り外してホース１６を引き出すことができる。
【００４０】
第１凸部４８の先端面には、内部と連通する略円形の開口５０が形成されている。この開口５０からは、スパウト２０の内部に挿通されているホース１６の一部が、スパウト２０の外部に延伸している。図２に戻って、開口５０を含む第１凸部４８の内径は、ホース１６が引き出し自在で且つホース１６と当接するように設定されることにより、ホースガイド４４がホース１６をガイドしている。ホースガイド４４において、第１凸部４８の反対側には第２凸部５２が形成されている。第２凸部５２の周面には、内部に連通する貫通孔５４と、径方向外側に突出した係合突起５６と、が形成されている。この第２凸部５２は、スパウト本体４６に挿入されて、当該スパウト本体４６の内周面と嵌合される。この結果、ホースガイド４４とスパウト本体４６とが連なる。
【００４１】
スパウト本体４６は、管状に形成され、一端側から他端側の順に、第１空間形成部５８と、嵌合部６０と、で構成されている。
【００４２】
第１空間形成部５８は、スパウト２０の内周面とホース１６の外周面との間に第１空間６２を形成するスパウト２０の壁部分である。第１空間形成部５８の外径及び内径は、それぞれスパウト本体４６の軸方向に沿って略同一である。第１空間６２は、ホース１６の外周面とホースガイド４４の内周面との間に形成される隙間と連通している。そして、第１空間６２は、この隙間から嵌合部６０まで続いている。また、第１空間形成部５８の一端側には、第１排水孔６４と係合孔６６とがスパウト本体４６の軸方向に並んで形成されている。これら第１排水孔６４と係合孔６６とは、第１空間形成部５８の一端側に対面する水栓装置の使用者の視界に入るのを抑制するため、上記一端側において手前側（外周面の一方側）で且つボウルに斜めに対向する部分に形成されている。
【００４３】
図１に示すように、第１排水孔６４と係合孔６６とは、それぞれスパウト本体４６の周方向に長く形成されている。図２に戻って、第１排水孔６４は、ホースガイド４４の貫通孔５４を介して、第１空間６２と連通している。この第１排水孔６４より下側にある係合孔６６には、係合突起５６が係合している。
【００４４】
このような構成の第１空間形成部５８には、嵌合部６０が連なっている。嵌合部６０は、支持管１８に外嵌されるスパウト２０の壁部分である。具体的には、嵌合部６０は、図２に示す点線領域６８内のスパウト２０の壁部分である。
【００４５】
嵌合部６０の外径及び内径は、それぞれ嵌合部６０の一端側（第１空間形成部５８側）から他端側に向かって拡径している。これにより、嵌合部６０の外観形状は、スパウト２０における嵌合部６０より上側部分、すなわち第１空間形成部５８と直線的に連なる円錐台となっている。
【００４６】
嵌合部６０は、支持管１８の外周面に取り付けられた円弧状の留め部材７０を介して、支持管１８と嵌合されている。支持管１８の周方向において留め部材７０が無い部分で嵌合部６０の内周面と支持管１８の外周面との間の部分には、不図示の隙間が形成されている。
【００４７】
図３は、図２に示すシャンプー水栓１０において嵌合部６０を拡大した図である。
【００４８】
図３に示すように、嵌合部６０は、留め部材７０の直下から端部までの部分において、第２空間形成部７２を有している。第２空間形成部７２は、スパウト２０の内周面と支持管１８の外周面との間に第１空間６２と連通する第２空間７４を形成するスパウト２０の壁部分である。
【００４９】
第２空間７４は、留め部材７０からスパウト台４７まで続いており、スパウト台４７に向かうほど広がった空間となっている。スパウト台４７は、管状に形成され、第２空間形成部７２と連なっている。また、スパウト台４７は、軸方向に沿って内径が支持管１８の外径と略同一であり、支持管１８に外嵌されている。
【００５０】
このスパウト台４７の直上、すなわち、第２空間形成部７２の最下端の周面には、第２排水孔７６が形成されている。第２排水孔７６は、第２空間７４の最下端とスパウト２０の外部とを連通している。また、第２排水孔７６は、吐水ヘッド１４の吐水口（泡沫吐水口２２Ａ及び散水吐水口２２Ｂ）がスパウト２０の周面の一方側、すなわち手前側である場合、当該一方側の周面の反対側の周面、すなわち背面側に形成されている。また、第２排水孔７６は、第２空間形成部７２の周方向に長く形成されている。
【００５１】
図４は、図３に示す嵌合部６０のＡ−Ａ矢視断面図である。図５は、図２に示すシャンプー水栓１０のＢ−Ｂ矢視断面図である。
【００５２】
図４及び図５に示すように、第２空間形成部７２の内周面には、凸部としての複数のリブ７８が間隔を空けて周方向に並んで形成されている。各リブ７８は、支持管１８側に突出している。なお、図４では各リブ７８と支持管１８との間に隙間があるが、当該隙間が無くて各リブ７８が支持管１８に当接していてもよい。
【００５３】
また、各リブ７８は、留め部材７０の直下からスパウト台４７の手前までスパウト２０の軸方向に沿って延伸している。各リブ７８のうち少なくとも１つのリブ（以下、「リブ８０」と称す。）は、他のリブ７８よりも突出長さが長くなっている。他のリブ７８の突出長さは、互いに略同一である。
【００５４】
リブ８０は、支持管１８の外周面にその軸方向に沿って形成された凹部８２に挿入されて係止されている。この凹部８２は、リブ８０が挿入されることにより、支持管１８に対してスパウト２０の回転を規制している。
【００５５】
図３では現れていないものの、リブ８０及び凹部８２は、支持管１８を基準としたとき、スパウト２０における第２排水孔７６の形成方向と同じ方向に設けられている。すなわち、リブ８０及び凹部８２は、吐水ヘッド１４の吐水口（泡沫吐水口２２Ａ及び散水吐水口２２Ｂ）がスパウト２０の周面の一方側、すなわち手前側である場合、当該一方側の周面の反対側の周面、すなわち背面側に形成されている。
【００５６】
＜効果＞
以上、本発明の実施形態に係るシャンプー水栓１０は、一端側に吐水ヘッド１４が取り外し自在に取り付けられ、他端側が支持管１８に外嵌され、ホース１６の外周面との間に第１空間６２を形成し、支持管１８の外周面との間に第１空間６２と連通する第２空間７４を形成するスパウト２０を備える。さらに、シャンプー水栓１０は、スパウト２０に形成され、第２空間７４の最下端と外部とを連通する第２排水孔７６と、を備える。
【００５７】
このような構成においては、吐水ヘッド１４をスパウト２０から取り外してホース１６を引き出して吐水ヘッド１４から吐水する際に、吐水の少なくとも一部が、スパウト２０の内部である第１空間６２に水が浸入する場合がある。スパウト２０の内部である第１空間６２に侵入した水は、支持管１８の外周面とスパウト２０の内周面との間に形成された第２空間７４に流れ、第２空間７４の最下端から、第２排水孔７６を介して、スパウト２０の外部に排水される。このように上記構成によれば、スパウト２０と支持管１８との嵌合部分（嵌合部６０）にある第２空間７４に到達した水を第２排水孔７６からスパウト２０の外部に排水することができる。さらに、上記構成によれば、スパウト２０の内部に進入した水が、第２空間７４の最下端の第２排水孔７６から外部へ流れ出るため、第２空間７４において最下端以外に第２排水孔７６が設けられる場合に比べて、スパウト２０の内部に進入した水の量によらず外部へ排水することができる。
【００５８】
また、シャンプー水栓１０によれば、スパウト２０の内周面に設けられ、支持管１８側に突出するリブ８０をさらに有するため、支持管１８の外周面とスパウト２０の内周面との間に、外嵌を保ちつつ、第２空間７４を形成することができる。
【００５９】
また、シャンプー水栓１０によれば、支持管１８の外周面に設けられ、リブ８０が挿入されて、支持管１８に対してスパウト２０の回転を規制する凹部８２をさらに有するため、シャンプー水栓１０の前に立つ使用者に対する吐水ヘッド１４の相対位置を固定することができる。
【００６０】
また、シャンプー水栓１０によれば、リブ８０及び凹部８２は、支持管１８を基準としたとき、スパウト２０における第２排水孔７６の形成方向と同じ方向に設けられているため、第２空間７４に侵入した水が、仮に勢いよく第２排水孔７６の形成方向と同じ方向に流れても、リブ８０によって、第２空間７４に侵入した水がリブ８０の両側に分流されることにより、第２排水孔７６から排水される水の勢いを弱めることができる。
【００６１】
また、シャンプー水栓１０によれば、吐水ヘッド１４は、吐水口がスパウト２０の周面の一方側となるように、スパウト２０に取り付けられ、第２排水孔７６は、一方側の周面の反対側の周面に形成されているため、スパウト２０の一方側の周面の反対側の周面に形成されている第２排水孔７６からの排水は、スパウト２０の一方側の周面に対面するシャンプー水栓１０の使用者にとって、視界に入り難いので、排水を見ることで不快となることを抑制できる。また、スパウト２０の一方側の周面にある吐水ヘッド１４の吐水口から吐出されて跳ね返った水は、反対側の周面に形成されている第２排水孔７６には入り難いため、当該跳ね返った水の第２空間７４への水の進入を抑制できる。
【００６２】
また、シャンプー水栓１０によれば、スパウト２０における支持管１８との嵌合部分（嵌合部６０）の外観形状は、スパウト２０における嵌合部分より上側部分（第１空間形成部５８）と直線的に連なる円錐台である。
【００６３】
この構成によれば、シャンプー水栓１０の審美性を高めると共に、スパウトにおける嵌合部分とその上側部分との間に段差がある場合に比べて清掃性を高めることができる。
【００６４】
＜変形例＞
以上、本願の開示する技術の実施形態について説明したが、本願の開示する技術は、上記に限定されるものではない。
【００６５】
例えば、複数のリブ７８は、スパウト２０の内周面に形成されている場合を説明したが、支持管１８の外周面に形成されてもよい。また、複数のリブ７８は、スパウト２０の内周面及び支持管１８の外周面の両方に形成されてもよい。同様に、凹部８２も、支持管１８の外周面に形成されている場合を説明したが、スパウト２０の内周面に形成されてもよい。また、凹部８２は、スパウト２０の内周面及び支持管１８の外周面の両方に形成されてもよい。
【００６６】
また、シャンプー水栓１０は、泡沫吐水と散水吐水との切り替えができる構成を説明したが、泡沫吐水のみ又は散水吐水のみ、あるいは整流吐水のみを行う構成であってもよい。
【００６７】
また、シャンプー水栓１０において、第１排水孔６４や係合孔６６等は省略してもよい。
【符号の説明】
【００６８】
１０…シャンプー水栓（水栓装置）
１４…吐水ヘッド
１６…ホース
１８…支持管
２０…スパウト
２２Ａ…泡沫吐水口（吐水口）
２２Ｂ…散水吐水口（吐水口）
４４…ホースガイド（取付部）
５８…第１空間形成部
６０…嵌合部
６２…第１空間
７２…第２空間形成部
７４…第２空間
７６…第２排水孔（排水孔）
８０…リブ（凸部）
８２…凹部
【図１】
2015224475.tif 000003
【図２】
2015224475.tif 000004
【図３】
2015224475.tif 000005
【図４】
2015224475.tif 000006
【図５】
2015224475.tif 000007